(57)【要約】【課題】本発明はチェーンの分解及び保持器付きころの分解が容易で、かつ潤滑性能の優れた保持器付きころを有するチェーンを提供する。【解決手段】ローラ３をブシュ２の外周面に回動自在に挿入し、鋼製針状ころ７と合成樹脂製かご形保持器８とからなる保持器付きころ６をブシュ２とピン５との間に組み込んだ保持器付きころ６を有するチェーンにおいて、各外プレート４のピン嵌合孔４ａにピン５の両端を圧入し、合成樹脂製かご形保持器８の各柱１０に切り欠き１１を設け、各柱１０の内周面に軸方向溝１２を設け、ブシュ２を焼結含油部材で形成した。【選択図】図２
2005155791.tif 000002
【特許請求の範囲】
【請求項１】
鉄系ころと合成樹脂製かご形保持器とからなる保持器付きころをブシュとピンとの間に組み込んだ保持器付きころを有するチェーンにおいて、
各外プレートのピン嵌合孔に前記ピンの両端を圧入し、前記合成樹脂製かご形保持器の各柱に切り欠きを設けたことを特徴とする保持器付きころを有するチェーン。
【請求項２】
前記合成樹脂製かご形保持器の各柱の内周面に軸方向溝を設けたことを特徴とする請求項１記載の保持器付きころを有するチェーン。
【発明の詳細な説明】
【技術分野】
【０００１】
本発明は、特に、コンベヤチェーンに好適な保持器付きころを有するチェーンに関するものである。
【背景技術】
【０００２】
従来、ローラをブシュの外周面に回動自在に挿入し、複数の円筒ころをブシュとピンとの間に回動自在に挿入し、円筒ころの抜けを防止するスペーサを中空円筒状のブシュの両端内周面に圧入して構成したころ軸受を有するチェーンがある（例えば、特許文献１参照）。
【特許文献１】実開昭６２−１３３５１７号公報
【０００３】
また、従来、図４に示すような、鋼製針状ころ７と合成樹脂製かご形保持器８とからなる保持器付きころ６をブシュ２とピン５との間に組み込んだ保持器付きころ６を有するチェーンが知られている。図５は保持器付きころ６を構成する合成樹脂製かご形保持器８の斜視図である。なお、図４に示す従来の保持器付きころ６を有するチェーンは、後述する本発明の実施例のチェーンと比較すると、主として、保持器付きころ６を構成する合成樹脂製かご形保持器８の構造が相違し、その他の構造は略同様であるので、同一部材には同一符号を付して詳細な説明は省略する。
【発明の開示】
【発明が解決しようとする課題】
【０００４】
ところで、上記実開昭６２−１３３５１７号公報に開示されたころ軸受を有するチェーンは、次のような問題がある。すなわち、円筒ころの抜けを防止するスペーサを中空円筒状のブシュの両端内周面に圧入した構成であるため、組立工数や組立コストがかかる。また、円筒ころの抜けを防止するスペーサを中空円筒状のブシュの両端内周面に圧入した構成であるため、円筒ころ長さを長くできない。円筒ころ長さが短いと、チェーンに張力が作用したときに、大きな曲げモーメントが働くことになり、その結果、チェーンの引張り強さが低い。また、チェーンの切り継ぎ時にチェーンを分解すると、円筒ころがばらける。
【０００５】
また、図４に示す従来の保持器付きころ６を有するチェーンは、上記実開昭６２−１３３５１７号公報に開示されたチェーンのように、スペーサを中空円筒状のブシュの両端内周面に圧入しないため、また、ブシュとピンとの間にころを個々に挿入する必要がないため、組立工数や組立コストの削減が可能である。また、上記実開昭６２−１３３５１７号公報に開示されたチェーンのように、スペーサを中空円筒状のブシュの両端内周面に圧入しないため、ころ長さを長くでき、チェーンの引張り強さも、上記実開昭６２−１３３５１７号公報に開示されたチェーンより大きい。さらに、鋼製針状ころ７がそれぞれ合成樹脂製かご形保持器８のポケット９内に保持されているため、チェーンの切り継ぎ時に、鋼製針状ころ７がポケット９内から脱落してばらけてしまうことがない。
【０００６】
しかし、図４に示す従来の保持器付きころを有するチェーンは、次のような問題がある。すなわち、チェーンの廃棄時には、まず、外プレート４からピン５を抜き取りチェーンを分解する。そして、チェーンを分解した後、鋼製針状ころ７と合成樹脂製かご形保持器８とからなる保持器付きころ６は鋼製針状ころ７と合成樹脂製かご形保持器８を分離しそれぞれに分別して廃棄しなければならない。しかし、外プレート４からピン５を抜き取ってチェーンを分解するには、ピン５の先端のかしめ部をグラインダ等で切断しなければならないので、手間を要する。また、保持器付きころ６を分解には、合成樹脂製かご形保持器８のポケット９内に保持されている鋼製針状ころ７を一個ずつポケット９内から取り外さなければならないので、手間を要する。さらに、チェーンの組立時にブシュ２とピン５との間にグリースを封入する必要があるが、保持器付きころ６がブシュ２とピン５との間に組み込まれているので、封入できるグリースの量が少なく、また、封入したグリースが流出しやすい。さらに、ブシュ２とローラ３間は無給油の状態である。
【０００７】
そこで、本発明はチェーンの分解及び保持器付きころの分解が容易で、かつ潤滑性能の優れた保持器付きころを有するチェーンを提供することを課題とするものである。
【課題を解決するための手段】
【０００８】
請求項１記載の発明は、鉄系ころと合成樹脂製かご形保持器とからなる保持器付きころをブシュとピンとの間に組み込んだ保持器付きころを有するチェーンにおいて、各外プレートのピン嵌合孔に前記ピンの両端を圧入し、前記合成樹脂製かご形保持器の各柱に切り欠きを設けたものである。
【０００９】
請求項２記載の発明は、請求項１記載の発明において、前記合成樹脂製かご形保持器の各柱の内周面に軸方向溝を設けたものである。
【発明の効果】
【００１０】
請求項１記載の発明によれば、ピンの両端は各外プレートのピン嵌合孔に単に圧入されているだけで、図４に示す従来のチェーンのようにピンの先端をかしめていないので、各外プレートからピンを抜き取るだけで、簡単にチェーンを分解することができる。また、合成樹脂製かご形保持器の各柱に切り欠きを設けているので、切り欠き部で合成樹脂製かご形保持器を容易に二分割することができる。そして、合成樹脂製かご形保持器を二分割することで、鉄系ころをポケットから一個ずつ取り出す必要がなく、鉄系ころと合成樹脂製かご形保持器を簡単に分離でき、保持器付きころの分解が容易にできる。その結果、鉄系ころと合成樹脂製かご形保持器の分別が容易になる。また、切り欠き部内にグリースを封入することができ、グリース封入量を増やすことができる。その結果、潤滑性能が向上する。
【００１１】
請求項２記載の発明によれば、合成樹脂製かご形保持器の各柱の内周面に軸方向溝を設けているので、この軸方向溝内にグリースを封入することができ、グリース封入量を増やすことができる。その結果、潤滑性能が向上する。
【発明を実施するための最良の形態】
【００１２】
本発明の実施例の保持器付きころを有するチェーンは、特にコンベヤチェーンに好適な保持器付きころを有するチェーンであって、鋼製針状ころと合成樹脂製かご形保持器とからなる保持器付きころをブシュとピンとの間に組み込んだ保持器付きころを有するコンベヤチェーンにおいて、各外プレートのピン嵌合孔にピンの両端を圧入し、合成樹脂製かご形保持器の各柱に切り欠きを設け、各柱の内周面に軸方向溝を設け、ブシュを焼結含油部材で形成したので、チェーンの分解及び保持器付きころの分解が容易で、かつ潤滑性能の優れたものである。以下、本発明の実施例を図面に基づいて詳細に説明する。
【実施例】
【００１３】
図１，２に示す本発明の実施例の保持器付きころを有するコンベヤチェーンは、内リンクと外リンクが後述するピン５によって連結されている。内リンクを構成する一対の内プレート１，１は一対の内プレート１，１のブシュ嵌合穴１ａに中空円筒状のブシュ２の両端を圧入することにより連結されている。中空円筒状のブシュ２は焼結含油部材で形成されている。ブシュ２の外周面にはローラ３が回動自在に挿入されている。また、一対の内プレート１，１の外側には外リンクを構成する一対の外プレート４，４が配置され、一対の外プレート４，４のピン嵌合穴４ａにピン５の両端を圧入することにより連結されている。ただし、内リンクと外リンクの連結時に、一対の外プレート４，４のピン嵌合穴４ａにピン５の両端を圧入するだけでピン５と外プレート４を結合し、図４に示す従来のチェーンのようにピン５の両端の突出端をかしめていない。
【００１４】
また、ブシュ２の内周面とピン５の外周面との間には保持器付きころ６が組み込まれている。この保持器付きころ６は鋼製針状ころ７と合成樹脂製かご形保持器８とからなり、個々の鋼製針状ころ７は合成樹脂製かご形保持器８に形成されているポケット９内に回転自在に保持されている。すなわち、保持器付きころ６は鋼製針状ころ７と合成樹脂製かご形保持器８とからなるサブユニットを構成している。なお、鋼製針状ころ７に替えてステンレス鋼等の鉄系ころを転動体として使用してもよい。
【００１５】
合成樹脂製かご形保持器８は、図３に示すように、各鋼製針状ころ７を収めて保持するポケット９を円周方向に複数並んで形成した一体形保持器である。そして、隣接するポケット９を分離する部分が合成樹脂製かご形保持器８の柱１０である。また、各柱１０の両側面の軸方向略中央部に切り欠き１１が設けられている。この切り欠き１１は後述するように、保持器付きころ６を分解する時、合成樹脂製かご形保持器８を容易に二分割することができるように、各柱１０に強度の弱い部分を形成するためのものであると同時に封入したグリースのグリース溜まりの機能を有する。なお、この実施例では、この切り欠き１１は各柱１０の両側面の軸方向略中央部に設けられているが、この切り欠き１１を設ける位置は各柱１０の両側面の軸方向略中央部に限定されるものではない。また、各柱１０の内周面には、軸方向溝１２（この実施例においては二個の溝）が形成されている。この軸方向溝１２は後述するように、封入したグリースのグリース溜まりの機能を有する。さらに、図３に示す合成樹脂製かご形保持器８の肉厚は、図５に示す従来の合成樹脂製かご形保持器８の肉厚より厚い形状になっている。これは、後述するように、封入したグリースの流出を防止するためである。
【００１６】
上記のように構成される図１，２に示す本発明の実施例の保持器付きころを有するコンベヤチェーンによれば、次のような効果を有する。
【００１７】
ピン５の両端は各外プレート４のピン嵌合孔４ａに単に圧入されているだけで、図４に示す従来のチェーンのようにピン５の先端をかしめていないので、各外プレート４からピン５を抜き取るだけで、簡単にチェーンを分解することができる。
【００１８】
また、合成樹脂製かご形保持器８の各柱１０に切り欠き１１を設けているので、切り欠き部で合成樹脂製かご形保持器８を容易に二分割することができる。そして、合成樹脂製かご形保持器８を二分割することで、鋼製針状ころ７をポケット９から一個ずつ取り出す必要がなく、鋼製針状ころ７と合成樹脂製かご形保持器８を簡単に分離でき、保持器付きころ６の分解が容易にできる。その結果、鋼製針状ころ７と合成樹脂製かご形保持器８の分別が容易になる。
【００１９】
また、切り欠き部内にグリースを封入することができ、グリース封入量を増やすことができる。その結果、潤滑性能が向上する。
【００２０】
合成樹脂製かご形保持器８の各柱１０の内周面に軸方向溝１２を設けているので、この軸方向溝１２内にグリースを封入することができ、グリース封入量を増やすことができる。その結果、潤滑性能が向上する。
【００２１】
図３に示す合成樹脂製かご形保持器８の肉厚は、図５に示す従来の合成樹脂製かご形保持器８の肉厚より厚い形状になっているので、図３に示す合成樹脂製かご形保持器８をピン５とブシュ２との間に組み込んだ場合、合成樹脂製かご形保持器８とピン５あるいはブシュ２との間の隙間は、図５に示す従来の合成樹脂製かご形保持器８を組み込んだ場合より小さくなる。したがって、予め封入したグリースがこの隙間から流出する量を減らすことができる。その結果、図４に示す従来のチェーンに比べて図１，２に示すチェーンの摩耗寿命を向上させることができる。
【００２２】
また、上記実開昭６２−１３３５１７号公報に開示されたチェーン及び図４に示す従来のチェーンにおいては、ブシュとローラ間は無給油の状態であるため、ブシュとピン間より先に摩耗寿命に至る場合がある。しかし、図１，２に示すチェーンは、ブシュ２を焼結含油部材で形成したので、ブシュ２に含浸されている油がブシュ２の外周面に滲み出て、滲み出た油によりブシュ２とローラ３間は潤滑され、ブシュ２とローラ３の摩耗寿命が向上する。
【００２３】
また、ブシュ２を焼結含油部材で形成したので、チェーンの組立時にブシュ２とローラ３間にグリースを封入する必要がないため、ブシュ２とローラ３間にグリースを封入するグリース封入工程を低減でき、製造コストの低減につながる。
【００２４】
なお、上記実施例では、針状ころを使用しているが、請求項１，２記載の発明は針状ころに替えて円筒ころを使用することもできる。
【００２５】
また、上記実施例では、保持器付きころを有するコンベヤチェーンを示しているが、請求項１，２記載の発明は他のチェーンにも適用できる。
【００２６】
また、上記実施例では、ローラを有するチェーンを示しているが、請求項１，２記載の発明はローラを有しないブシュドチェーンにも適用できる。
【図面の簡単な説明】
【００２７】
【図１】本発明の実施例の保持器付きころを有するコンベヤチェーンの外観の斜視図である。
【図２】図１に示す保持器付きころを有するコンベヤチェーンの要部を切り欠いた斜視図である。
【図３】図２に示す保持器付きころの合成樹脂製かご形保持器の斜視図である。
【図４】従来の保持器付きころを有するコンベヤチェーンの要部を切り欠いた斜視図である。
【図５】図４に示す保持器付きころの合成樹脂製かご形保持器の斜視図である。
【符号の説明】
【００２８】
１    内プレート
１ａ  ブシュ嵌合孔
２    ブシュ
３    ローラ
４    外プレート
４ａ  ピン嵌合孔
５    ピン
６    保持器付きころ
７    鋼製針状ころ
８    合成樹脂製かご形保持器
９    合成樹脂製かご形保持器のポケット
１０  合成樹脂製かご形保持器の柱
１１  切り欠き
１２  軸方向溝
【図１】
2005155791.tif 000003
【図２】
2005155791.tif 000004
【図３】
2005155791.tif 000005
【図４】
2005155791.tif 000006
【図５】
2005155791.tif 000007